(57)【要約】【課題】発光素子に供給する駆動信号のパルス幅を変更することなく、各発光素子の発光特性のバラツキを補正することができる発光素子用駆動回路及びその制御方法並びに、その発光素子用駆動回路を備えた表示装置及びその表示装置を備えた電子機器を提供する。【解決手段】ライン状に複数配列され、駆動信号を構成する電流値とパルス幅とに応じて各々の発光量が制御される発光素子と、前記駆動信号の電流値を制御するパルス制御手段と、前記駆動信号を前記発光素子の各々に供給する駆動手段と、を具備し、前記パルス制御手段は、前記駆動信号の前縁部及び後縁部よりもそれ以外の中間部の電流値が低くなるように前記駆動信号を制御する。【選択図】図１
2007253501.tif 000002
【特許請求の範囲】
【請求項１】
ライン状に複数配列され、駆動信号を構成する電流値とパルス幅とに応じて各々の発光量
が制御される発光素子と、
前記駆動信号の電流値を制御するパルス制御手段と、
前記駆動信号を前記発光素子の各々に供給する駆動手段と、を具備し、
前記パルス制御手段は、前記駆動信号の前縁部及び後縁部よりもそれ以外の中間部の電流
値が低くなるように前記駆動信号を制御することを特徴とする発光素子用駆動回路。
【請求項２】
請求項１に記載の発光素子用駆動回路において、
前記パルス制御手段は、前記発光素子と並列に接続されたスイッチング手段を有するバイ
パス路を具備し、
前記スイッチング手段をＯＮすることにより、前記駆動信号の前縁部及び後縁部よりもそ
れ以外の中間部の電流値が低くなるように前記駆動信号を制御することを特徴とする発光
素子用駆動回路。
【請求項３】
ライン状に複数配列され、駆動信号を構成する電流値とパルス幅とに応じて各々の発光量
が制御される発光素子と、
前記駆動信号の電流値を制御するパルス制御手段と、
前記駆動信号を前記発光素子の各々に供給する駆動手段と、を具備し、
前記パルス制御手段は、前記駆動信号の電流値が前端から中央部に向けて漸減し、且つ前
記中央部から後端に向けて漸増するように前記駆動信号を制御することを特徴とする発光
素子用駆動回路。
【請求項４】
請求項３に記載の発光素子用駆動回路において、
前記パルス制御手段は、電源に対して前記発光素子と直列に接続された補正用トランジス
タを具備し、
前記補正用トランジスタのゲート電極に、前端から中央部に向けて漸減し、且つ前記中央
部から後端に向けて漸増するパルス状の電圧を印加することにより、前記発光素子に供給
する前記駆動信号を形成することを特徴とする発光素子用駆動回路。
【請求項５】
ライン状に複数配列され、パルス群からなる駆動信号の電流値とパルス幅とに応じて各々
の発光量が制御される発光素子と、
前記駆動信号の電流値を制御するパルス制御手段と、
前記駆動信号を前記発光素子の各々に供給する駆動手段と、を具備し、
前記パルス制御手段は、前記発光素子の発光量が前端から中央部に向けて漸減し、且つ前
記中央部から後端に向けて漸増するように前記パルスのデューティ値を制御することを特
徴とする発光素子用駆動回路。
【請求項６】
請求項５に記載の発光素子用駆動回路において、
前記デューティ値の制御は、前記発光素子と直列に接続されるパルス幅制御用トランジス
タのゲート電極に供給する補正データで、このパルス幅制御用トランジスタのＯＮ／ＯＦ
Ｆを制御するパルス幅変調回路を介して行なうように構成したことを特徴とする発光素子
用駆動回路。
【請求項７】
請求項１〜６の何れかに記載の発光素子用駆動回路を備えた表示装置。
【請求項８】
請求項７に記載の表示装置を備えた電子機器。
【請求項９】
ライン状に複数配列され、駆動信号を構成する電流値とパルス幅とに応じて各々の発光量
が制御される発光素子に、前記駆動信号の前縁部及び後縁部よりもそれ以外の中間部の電
流値が低い前記駆動信号を供給することを特徴とする発光素子用駆動回路の制御方法。
【請求項１０】
ライン状に複数配列され、駆動信号を構成する電流値とパルス幅とに応じて各々の発光量
が制御される発光素子に、前記駆動信号の電流値が前端から中央部に向けて漸減し、且つ
前記中央部から後端に向けて漸増する前記駆動信号を供給することを特徴とする発光素子
用駆動回路の制御方法。
【請求項１１】
ライン状に複数配列され、パルス群からなる駆動信号の電流値とパルス幅とに応じて各々
の発光量が制御される発光素子に、前記発光素子の発光量が前端から中央部に向けて漸減
し、且つ前記中央部から後端に向けて漸増するように前記パルスのデューティ値を制御す
ることを特徴とする発光素子用駆動回路の制御方法。
【発明の詳細な説明】
【技術分野】
【０００１】
本発明は、有機発光ダイオード（以下、「ＯＬＥＤ（Organic Light Emitting Diode）
」という。）素子などの発光素子の発光量を制御するその駆動制御方法並びに、その発光
素子用駆動回路を備えた表示装置及びその表示装置を備えた電子機器に関する。
【背景技術】
【０００２】
複数の発光素子が主走査方向に配列された発光素子アレイと、この発光素子アレイと感
光体とを主走査方向と略直交する副走査方向に相対移動させる副走査手段と、階調画像を
担持する画像データに基づいて、複数の発光素子の各々の発光時間（発光パルス幅）を制
御する駆動回路とを具備して、その画像データが示す階調画像を感光体に露光する画像形
成装置が従来から知られている。
【０００３】
この画像形成装置に用いられる発光素子としては、半導体レーザー素子、ＬＥＤ（ligh
t emitting diode）素子、ＯＬＥＤ素子などが挙げられるが、同一の発光素子アレイに配
列された各発光素子の発光特性が異なると、それらの発光素子が同一の画像データに基づ
いて駆動されたときに、感光体が受ける露光量に差が生じることになる。したがって、そ
のような発光特性の差が、隣接する発光素子間に存在した場合には、形成された画像にお
いて主走査方向に濃度差が生じ、副走査方向に延びる筋状の濃度ムラ（いわゆる筋ムラ）
が発生していた。
【０００４】
そこで、パルスの高さ（発光素子を流れる電流）を一定に保持しつつ、発光パルス幅を
制御することにより、発光素子の発光特性を補正する方法が提案されている（特許文献１
及び２参照）。
【０００５】
【特許文献１】特開２００５−８１６９６号公報
【特許文献２】特開２００５−１０３８１６号公報
【発明の開示】
【発明が解決しようとする課題】
【０００６】
しかしながら、上述した画像形成装置では、感光体は副走査手段により副走査方向に相
対移動されながら露光されることになるので、発光パルス幅を制御して各発光素子の発光
特性を補正する方法を用いると、各発光素子の発光時間が異なることになる。すなわち、
発光パルス幅を変化させることにより、感光体上に形成される潜像の副走査方向の長さが
異なることになる。図１５に、発光パルス幅を変化させた際の発光パルス幅、パルス状の
電流値及び感光体上に形成された潜像との関係を示す。図１５に示すように、発光パルス
幅が大きくなるにつれて感光体上に形成された潜像の副走査方向の長さが長くなる。した
がって、発光パルス幅を制御して各発光素子の発光特性を補正する方法を用いると、その
補正の量に応じて形成される画像が劣化するという問題があった。
【０００７】
本発明は、上述した事情に鑑み、発光素子に供給する電流のパルス幅を変更することな
く、各発光素子の発光特性のバラツキを補正することができる発光素子用駆動回路及びそ
の制御方法並びに、その発光素子用駆動回路を備えた表示装置及びその表示装置を備えた
電子機器を提供することを目的とする。
【課題を解決するための手段】
【０００８】
上記課題を解決する本発明の第１の態様は、ライン状に複数配列され、駆動信号を構成
する電流値とパルス幅とに応じて各々の発光量が制御される発光素子と、前記駆動信号の
電流値を制御するパルス制御手段と、前記駆動信号を前記発光素子の各々に供給する駆動
手段と、を具備し、前記パルス制御手段は、前記駆動信号の前縁部及び後縁部よりもそれ
以外の中間部の電流値が低くなるように前記駆動信号を制御することを特徴とする発光素
子用駆動回路にある。
かかる第１の態様では、発光素子に供給する駆動信号のパルス幅を変更することなく発
光素子のバラツキを補正することができる。また、パルス状の駆動信号の中間部よりも前
縁部及び後縁部の電流値を高くすることができるので、シャープな潜像を形成することが
できる。
【０００９】
本発明の第２の態様は、第１の態様に記載の発光装置用駆動回路において、前記パルス
制御手段は、前記発光素子と並列に接続されたスイッチング手段を有するバイパス路を具
備し、前記スイッチング手段をＯＮすることにより、前記駆動信号の前縁部及び後縁部よ
りもそれ以外の中間部の電流値が低くなるように前記駆動信号を制御することを特徴とす
る発光素子用駆動回路にある。
かかる第２の態様では、容易に発光装置用駆動回路を製造することができる。
【００１０】
本発明の第３の態様は、ライン状に複数配列され、駆動信号を構成する電流値とパルス
幅とに応じて各々の発光量が制御される発光素子と、前記駆動信号の電流値を制御するパ
ルス制御手段と、前記駆動信号を前記発光素子の各々に供給する駆動手段と、を具備し、
前記パルス制御手段は、前記駆動信号の電流値が前端から中央部に向けて漸減し、且つ前
記中央部から後端に向けて漸増するように前記駆動信号を制御することを特徴とする発光
素子用駆動回路にある。
かかる第３の態様では、第１の態様と同様の効果が得られる。
【００１１】
本発明の第４の態様は、第３の態様に記載の発光素子用駆動回路において、前記パルス
制御手段は、電源に対して前記発光素子と直列に接続された補正用トランジスタを具備し
、前記補正用トランジスタのゲート電極に、前端から中央部に向けて漸減し、且つ前記中
央部から後端に向けて漸増するパルス状の電圧を印加することにより、前記発光素子に供
給する前記駆動信号を形成することを特徴とする発光素子用駆動回路にある。
かかる第４の態様では、容易に発光装置用駆動回路を製造することができる。
【００１２】
本発明の第５の態様は、ライン状に複数配列され、パルス群からなる駆動信号の電流値
とパルス幅とに応じて各々の発光量が制御される発光素子と、前記駆動信号の電流値を制
御するパルス制御手段と、前記駆動信号を前記発光素子の各々に供給する駆動手段と、を
具備し、前記パルス制御手段は、前記発光素子の発光量が前端から中央部に向けて漸減し
、且つ前記中央部から後端に向けて漸増するように前記パルスのデューティ値を制御する
ことを特徴とする発光素子用駆動回路にある。
かかる第５の態様では、第１の態様と同様の効果が得られる。
【００１３】
本発明の第６の態様は、第５の態様に記載の発光素子用駆動回路において、前記デュー
ティ値の制御は、前記発光素子と直列に接続されるパルス幅制御用トランジスタのゲート
電極に供給する補正データで、このパルス幅制御用トランジスタのＯＮ／ＯＦＦを制御す
るパルス幅変調回路を介して行なうように構成したことを特徴とする発光素子用駆動回路
にある。
かかる第６の態様では、容易に発光装置用駆動回路を製造することができる。
【００１４】
本発明の第７の態様は、第１〜７の態様の何れかに記載の発光素子用駆動回路を備えた
表示装置にある。
かかる第７の態様では、発光素子のバラツキを抑えた表示装置を提供することができる
。
【００１５】
本発明の第８の態様は、第７の態様に記載の表示装置を備えた電子機器にある。
かかる第８の態様では、発光素子のバラツキを抑えた電子機器を提供することができる
。
【００１６】
本発明の第９の態様は、ライン状に複数配列され、駆動信号を構成する電流値とパルス
幅とに応じて各々の発光量が制御される発光素子に、前記駆動信号の前縁部及び後縁部よ
りもそれ以外の中間部の電流値が低い前記駆動信号を供給することを特徴とする発光素子
用駆動回路の制御方法にある。
かかる第９の態様では、発光素子に供給する駆動信号のパルス幅を変更することなく発
光素子のバラツキを補正することができる。また、パルス状の駆動信号の中間部よりも前
縁部及び後縁部の電流値を高くすることができるので、シャープな潜像を形成することが
できる。
【００１７】
本発明の第１０の態様は、ライン状に複数配列され、駆動信号を構成する電流値とパル
ス幅とに応じて各々の発光量が制御される発光素子に、前記駆動信号の電流値が前端から
中央部に向けて漸減し、且つ前記中央部から後端に向けて漸増する前記駆動信号を供給す
ることを特徴とする発光素子用駆動回路の制御方法にある。
かかる第１０の態様では、第９の態様と同様の効果が得られる。
【００１８】
本発明の第１１の態様は、ライン状に複数配列され、パルス群からなる駆動信号の電流
値とパルス幅とに応じて各々の発光量が制御される発光素子に、前記発光素子の発光量が
前端から中央部に向けて漸減し、且つ前記中央部から後端に向けて漸増するように前記パ
ルスのデューティ値を制御することを特徴とする発光素子用駆動回路の制御方法にある。
かかる第１１の態様では、第９の態様と同様の効果が得られる。
【発明を実施するための最良の形態】
【００１９】
以下、本発明を実施するための最良の形態について説明する。なお、本実施形態の説明
は例示であり、本発明は以下の説明に限定されない。
【００２０】
（実施形態１）
図１は、本発明の実施形態１に係る表示装置を構成するブロック図である。この表示装
置１０は、感光体の露光によって潜像を形成する方式の画像形成装置（印刷装置）におい
て感光体を露光するための露光ヘッドとして利用される。図１に示すように、表示装置１
０は、所望の画像に応じた光線を感光体の表面に向けて出射するヘッドモジュール２０と
、このヘッドモジュール２０の動作を制御するコントローラ３０とを具備している。
【００２１】
ヘッドモジュール２０は、発光部２２と駆動制御部２４と記憶装置２６とを有する。発
光部２２は、ｎ個（ｎは自然数）の発光素子Ｅが主走査方向に沿ってライン状に配列され
た部分である。記憶装置２６は、各発光素子Ｅの発光特性データが格納されたものであり
、例えばＥＥＰ−ＲＯＭなどが挙げられる。なお、発光特性データは、予め測定されてい
るものである。
【００２２】
一方、コントローラ３０は、制御部３１とバッファメモリ３２とを有する。制御部３１
は記憶装置２６に接続されると共に駆動制御部２４に接続されている。そして、制御部３
１は、記憶装置２６に格納された各発光素子Ｅの発光特性データを取得して、各発光素子
Ｅの発光特性データに応じた補正データＤａ１を算出した後、補正データＤａ１を駆動制
御部２４に出力することができるようになっている。ここで、詳細は後述するが、補正デ
ータＤａ１は、階調データに応じて、発光素子Ｅにバイパスさせる補正電流の電流値を指
定するデータである。
【００２３】
バッファメモリ３２は、駆動制御部２４に接続されており、格納された表示データ（階
調データ）を駆動制御部２４に順次出力することができるようになっている。
【００２４】
本発明は、発光素子に供給されるパルス状の駆動信号の階調データに応じたパルス幅を
変更することなく、駆動信号の形状を補正することによって、各発光素子Ｅの発光特性の
バラツキを補正するというものであり、駆動制御部２４の構成とその駆動方法に特徴を有
する。
【００２５】
そこで、駆動制御部２４について詳細に説明する。駆動制御部２４は、単位駆動回路Ｕ
の駆動タイミングや駆動信号の電流値を制御するための手段であり、各々が別個の発光素
子Ｅに対応するｎ個の単位駆動回路Ｕと、駆動回路とを有する。なお、駆動制御部２４は
、ｎ個の発光素子Ｅを所定の数に区分したグループごとに複数配置されたＩＣチップで構
成されてもよいし、すべての発光素子Ｅの制御を担う１つのＩＣチップによって構成され
てもよい。
【００２６】
図２は、駆動制御部２４の一部とその部分に対応する発光素子Ｅとの具体的な構成を示
すブロック図である。なお、同図においては第Ｊ番目（Ｊは１≦ｊ≦ｎを満たす整数）の
単位駆動回路Ｕ及び発光素子Ｅが図示されているが、他の単位駆動回路Ｕや発光素子Ｅの
構成も同様である。なお、本実施形態における発光素子Ｅは、陽極と陰極との間隙に有機
ＥＬ（Electro Luminescent）材料からなる発光層が介挿されたＯＬＥＤ素子である。
【００２７】
駆動回路は、コントローラ３０から出力された階調データ及び補正データＤａ２に基づ
いて、パルス幅データＤｔと、補正パルス幅データＤｔａと、補正電流値データＤｉａと
を生成する。単位駆動回路Ｕは、後述するパルス幅データＤｔと、補正パルス幅データＤ
ｔａと、補正電流値データＤｉａとに基づいて駆動信号Ｘｊを生成して発光素子Ｅに出力
する。
【００２８】
図３は、単位駆動回路Ｕから出力される駆動信号Ｘｊの波形を示すタイミングチャート
である。図３に示すように、パルス幅データＤｔは、階調データに基づいて、各発光素子
Ｅの制御の単位となる期間（以下「単位期間」という）Ｔのうち各発光素子が実際に点灯
する発光期間の時間長（すなわち、駆動信号Ｘｊのパルス幅）Ｔ［ｊ］を指定するデータ
であり、補正パルス幅データＤｔａは、発光期間の時間長であるパルス幅Ｔ［ｊ］中の電
流値を補正する時間長（すなわち、補正幅）Ｔａ［ｊ］を指定するデータである。そして
、補正電流値データＤｉａは、階調データ及び補正データＤａ２に基づいて補正電流値Ｉ
ａ［ｊ］を指定するデータである。ここで、詳細は後述するが、補正電流値データＤｉａ
は、補正される前の電流値の１０〜３０％の電流値を指定するものが好ましい。
【００２９】
このようなデータが入力される単位駆動回路Ｕは、図２に示すように、第１の電流生成
回路２４１と、第２の電流生成回路２４２と、パルス駆動回路２４３とを有している。第
１の電流生成回路２４１は、予め設定された電流値Ｉmaxの電流を生成する手段である。
第１の電流生成回路２４１としては、例えば電流値Ｉmaxの電流を生成するＤＡＣ（Digit
al to Analog Converter）などが挙げられる。なお、第１の電流生成回路２４１は、各単
位駆動回路Ｕに同一のものが配置される。
【００３０】
また、第２の電流生成回路２４２は、補正電流値データＤｉａに基づいて、補正電流値
Ｉａ［ｊ］の電流を生成する手段である。第２の電流生成回路２４２としては、例えば補
正電流値データＤｉａよって指定される補正電流値Ｉａ［ｊ］の電流を生成するＤＡＣな
どが挙げられる。
【００３１】
一方、パルス駆動回路２４３は、駆動信号Ｘｊのパルス幅（発光期間の時間長）をパル
ス幅データＤｔによって指定されるパルス幅Ｔ［ｊ］に調整すると共に、その駆動信号Ｘ
ｊの形状を補正する手段である。パルス駆動回路２４３としては、例えば図４に示す回路
などが挙げられる。
【００３２】
図４は、パルス駆動回路２４３の模式図である。図４に示すように、パルス駆動回路２
４３は、２つのトランジスタＴＲ１、ＴＲ２を有しており、第１の電流生成回路２４１か
ら電流値Ｉmaxが供給されるようになっている。ＴＲ１及びＴＲ２の製造プロセスとして
は、レーザーアニールショットを利用してガラス基板の上にポリシリコン層を形成するＴ
ＦＴ（Thin Film Transistor）を用いて発光素子Ｅと同一ガラス基板上に形成する場合の
他、半導体ＩＣを用いる場合等が考えられる。
【００３３】
スイッチングトランジスタであるＴＲ１及びＴＲ２は、ｎチャネル型である。ＴＲ１の
ドレイン電極は第１の電流生成回路２４１に接続される一方、そのソース電極は発光素子
Ｅに接続される。そして、ＴＲ１のゲート電極は、駆動回路に接続されており、階調デー
タに応じたパルス幅データＤｔが供給される。したがって、ＴＲ１のゲート電極にパルス
幅データＤｔが入力されると、そのパルス幅データＤｔに応じて、ＴＲ１のソース・ドレ
イン電極間に電流値Ｉmaxのパルス電流が流れることになる。すなわち、ＴＲ１に入力さ
れるパルス幅データＤｔによって、階調が制御されることになる。
【００３４】
ＴＲ２のドレイン電極はＴＲ１のソース電極に接続される一方、そのソース電極は第２
の電流生成回路２４２に接続される。そして、ＴＲ２のゲート電極は、ＴＲ１のゲート電
極と同様に、駆動回路に接続されており、補正パルス幅データＤｔａが供給される。した
がって、ＴＲ２のゲート電極に補正パルス幅データＤｔａが入力されると、その補正パル
ス幅データＤｔａに応じて、ＴＲ２のソース・ドレイン電極間に補正電流値Ｉａ［ｊ］の
電流が流れることになる。すなわち、ＴＲ１のソース・ドレイン電極間を流れた電流値Ｉ
maxのパルス電流の一部がバイパスされることになる。そして、このパルス駆動回路２４
３は、ＴＲ１及びＴＲ２を同時に駆動させることにより、単位駆動回路Ｕ内に図５に示す
ような電流I1、I2、Ioledが流れるようになっている。
【００３５】
このように、本実施形態の表示装置１０によれば、発光素子Ｅの発光特性データに基づ
いて補正された、パルス状の駆動信号の前縁部及び後縁部よりもそれ以外の中間部の電流
値が低い電流Ioledを発光素子Ｅに供給することができるので、パルス電流のパルス幅（
発光パルス幅）を変更することなく各発光素子の発光特性のバラツキを補正することがで
き、結果として高品質で印字することができるという効果を奏する。また、パルス状の駆
動信号の中間部よりも前縁部及び後縁部の電流値を高くすることができるので、シャープ
な潜像を形成することができるという効果を奏する。
【００３６】
なお、本実施形態では、パルス幅データＤｔと、補正パルス幅データＤｔａと、補正電
流値データＤｉａとを制御駆動部で生成したが、コントローラ３０で生成するようにして
もよい。
【００３７】
（実施形態２）
実施形態１では、上述したような駆動制御部を用いて、発光素子Ｅに供給されるパルス
状の駆動信号Ｘｊを制御するようにしたが、以下に示す駆動制御部を用いて、発光素子Ｅ
に供給されるパルス状の駆動信号Ｘｊを制御するようにしてもよい。
【００３８】
図６は、本実施形態に係る駆動制御部の一部とその部分に対応する発光素子Ｅとの構成
を示すブロック図である。なお、同図においては第Ｊ番目（Ｊは１≦ｊ≦ｎを満たす整数
）の単位駆動回路Ｕ及び発光素子Ｅが図示されているが、他の単位駆動回路Ｕや発光素子
Ｅの構成も同様である。また、以下で説明する駆動制御部の構成要素以外の構成要素につ
いては、実施形態１に係る駆動制御部と同様であるため、同一符号を付して説明を省略す
る。
【００３９】
本実施形態に係る駆動制御部には、図示しないコントローラから、補正データＤａ２が
供給されるようになっている。ここで、補正データＤａ２は、ヘッドモジュールの記憶装
置に格納された各発光素子Ｅの発光特性データに基づいて、コントローラによって生成さ
れる。ここで、詳細は後述するが、補正データＤａ２は、発光素子Ｅに供給される電流値
の補正量を指定するデータである。
【００４０】
図６に示すように、本実施形態に係る駆動制御部は、単位駆動回路Ｕと、単位駆動回路
Ｕの駆動タイミングや駆動信号の電流値を制御する駆動回路とを有する。駆動回路は、参
照電圧線Ｌｒを介して各単位駆動回路Ｕに接続されるレベル電圧生成回路２４６が設けら
れており、各単位駆動回路Ｕに対してレベル電圧Ｖｒをそれぞれ供給することができるよ
うになっている。レベル電圧生成回路２４６は、予め設定されたレベル電圧Ｖｒを生成す
る回路である。なお、レベル電圧生成回路２４６はすべての単位駆動回路Ｕに対して共通
のものであってもよいし、単位駆動回路Ｕごとに設けられてもよい。ここで、レベル電圧
Ｖｒは、駆動信号Ｘｊの電流値を設定するためのものである。また、駆動回路は、図示し
ないコントローラから出力された階調データ及び補正データＤａ２に基づいて、パルス幅
データＤｔと、補正電圧値データＤｖａと、リセット信号Ｄｐとを生成する。ここで、パ
ルス幅データＤｔは、上述したように、各発光素子が実際に点灯する発光期間の時間長（
すなわち、駆動信号Ｘｊのパルス幅）Ｔ［ｊ］を指定するデータであり、また、補正電圧
値データＤｖａは、階調データに応じて、後述する三角波信号の中間部における最低電圧
を指定するデータである。そして、リセット信号Ｄｐは、パルス幅データＤｔが単位駆動
回路Ｕに入力される直前に入力される。なお、リセット信号Ｄｐの機能については後述す
る。
【００４１】
単位駆動回路Ｕは、パルス駆動回路２４３Ａと、三角波信号線Ｌｔを介してパルス駆動
回路２４３Ａと接続される三角波生成回路２４５とを有しており、パルス幅データＤｔ、
補正電圧値データＤｖａ及び階調データに基づいて、駆動信号Ｘｊを生成して発光素子Ｅ
に出力する。
【００４２】
三角波生成回路２４５は、パルス幅データＤｔ及び補正電圧値データＤｖａに基づいて
、三角波信号を生成する手段である。三角波生成回路２４５としては、例えばパルス幅デ
ータＤｔによって指定された幅を有し、中央の電圧が補正電圧値データＤｖａにより指定
される電圧分だけ降下した三角波信号を生成する回路などが挙げられる。
【００４３】
一方、パルス駆動回路２４３Ａは、駆動信号Ｘｊのパルス幅（発光期間の時間長）をパ
ルス幅データＤｔによって指定されるパルス幅Ｔ［ｊ］に調整すると共に、その駆動信号
Ｘｊの形状を補正する手段である。パルス駆動回路２４３Ａとしては、例えば図７に示す
回路などが挙げられる。
【００４４】
図７は、パルス駆動回路２４３Ａの模式図である。図７に示すように、パルス駆動回路
２４３Ａは、５つのトランジスタＴＲ１Ａ〜ＴＲ５Ａを有しており、図示しない駆動回路
から各単位駆動回路Ｕに共通の電源電圧Ｖｃｃ及びレベル電圧Ｖｒが供給されるようにな
っている。ＴＲ１Ａ〜ＴＲ５Ａの製造プロセスでは、レーザーアニールショットを利用し
てガラス基板の上にポリシリコン層を形成するＴＦＴ（Thin Film Transistor）を用いて
発光素子Ｅと同一ガラス基板上に形成する場合の他、半導体ＩＣを用いる場合等が考えら
れる。
【００４５】
駆動トランジスタであるＴＲ１Ａはｐチャネル型であり、スイッチングトランジスタで
あるＴＲ２Ａ〜ＴＲ５Ａはｎチャネル型である。ＴＲ１Ａのソース電極は電源電圧Ｖｃｃ
が供給される電源線Ｌに接続される一方、そのドレイン電極はＴＲ２のドレイン電極に接
続されており、ＴＲ１Ａのゲート電極に印加される電位に応じて、ＴＲ１Ａのソース・ゲ
ート電極間に電流が流れるようになっている。そして、ＴＲ１Ａのゲート電極は、容量素
子Ｃを介してＴＲ５Ａのドレイン電極に接続されている。
【００４６】
ＴＲ２Ａのソース電極は発光素子Ｅに接続され、そのゲート電極は階調データに基づい
たパルス幅データＤｔが入力される信号線Ｌ２に接続されており、パルス幅データＤｔに
よって発光素子Ｅに供給される電流のパルス幅を制御することができるようになっている
。すなわち、ＴＲ２Ａに入力されるパルス幅データＤｔによって、階調が制御されること
になる。
【００４７】
ＴＲ３Ａのドレイン電極はレベル電圧Ｖｒが印加される参照電圧線Ｌｒに接続される一
方、そのソース電極はＴＲ１Ａのゲート電極と共にＴＲ４のドレイン電極に接続されてい
る。また、ＴＲ４Ａのソース電極はＴＲ５Ａのドレイン電極に接続されている。そして、
ＴＲ３Ａのゲート電極は、ＴＲ４Ａのゲート電極と共に信号線Ｌ１に接続されている。こ
こで、信号線Ｌ１は、パルス幅データＤｔが信号線Ｌ２に入力される直前に入力されるリ
セット信号Ｄｐが入力されるものである。そして、信号線Ｌ１にリセット信号Ｄｐが入力
されると、容量素子Ｃがショートして容量素子Ｃがリセットされると共に、ＴＲ１Ａのゲ
ート電極にレベル電圧Ｖｒが印加されるようになっている。
【００４８】
ＴＲ５Ａのソース電極は三角波信号線Ｌｔに接続され、そのゲート電極はＴＲ２Ａのゲ
ート電極と共に信号線Ｌ２に接続されている。
【００４９】
このような構成において、リセット信号ＤｐがＨレベルになると、ｎチャネル型ＴＲ３
Ａ及びＴＲ４Ａがオン状態となるので、ＴＲ１Ａのゲート電極にレベル電圧Ｖｒが印加さ
れる。
【００５０】
そして、リセット信号ＤｐがＬレベルになると、ＴＲ３Ａ及びＴＲ４Ａがオフ状態とな
る。このとき、ＴＲ１Ａのゲート電極における入力インピーダンスは極めて高いので、Ｔ
Ｒ３Ａ及びＴＲ４Ａがオフ状態となった瞬間のＴＲ１Ａのゲート電極における電荷の蓄積
状態は変化しない。すなわち、リセット信号ＤｐがＨレベルになった瞬間のＴＲ１Ａのゲ
ート電極の電位はそのまま保持される。
【００５１】
次に、パルス幅データＤｔと三角波信号Ｄｔｔとが同時にＨレベルになると、ＴＲ５Ａ
がオン状態となるので、ＴＲ１Ａのゲート電極に印加されていたレベル電圧Ｖｒと三角波
信号Ｄｔｔとが重畳された電圧がＴＲ１Ａのゲート電極に印加されることになる。また、
同時にＴＲ５Ａがオン状態となり、ＴＲ１Ａのソース・ドレイン電極間及びＴＲ２Ａのソ
ース・ドレイン電極間を電流が流れることになるので、結果的に、図８に示す電流Ioled
が発光素子Ｅに供給される。
【００５２】
したがって、実施形態１と同様に、本実施形態の表示装置１０によれば、前端から中央
部に向けて漸減し、且つ中央部から後端に向けて漸増する電流Ioledを発光素子Ｅに供給
することができるので、実施形態１と同様に、発光素子Ｅに供給されるパルス電流のパル
ス幅を変更することなく発光素子のバラツキを補正することができ、結果として高品質で
印字することができるという効果を奏する。また、パルス状の駆動信号の中央部よりも前
端及び後端の電流値を高くすることができるので、シャープな潜像を形成することができ
るという効果を奏する。
【００５３】
なお、本実施形態では、三角波生成回路２４５を用いて、前端から中央部に向けて漸減
し、且つ中央部から後端に向けて漸増するように電流Ioledを制御したが、前端から中央
部に向けて漸減し、且つ中央部から後端に向けて漸増するように電流Ioledを制御するこ
とができるものであれば特に限定されず、例えば傾きが指数関数状の波形を生成する回路
を用いてもよい。
【００５４】
（実施形態３）
実施形態１及び２では上述したような駆動制御部を用いて発光素子Ｅに供給されるパル
ス状の駆動信号を制御するようにしたが、以下に示す駆動制御部を用いて、発光素子Ｅに
供給される駆動信号を制御するようにしてもよい。
【００５５】
図９は、本実施形態に係る駆動制御部の一部とその部分に対応する発光素子Ｅとの構成
を示すブロック図である。なお、同図においては第Ｊ番目（Ｊは１≦ｊ≦ｎを満たす整数
）の単位駆動回路Ｕ及び発光素子Ｅのみが図示されているが、他の単位駆動回路Ｕや発光
素子Ｅの構成も同様である。また、以下で説明する駆動制御部の構成要素以外の構成要素
については、実施形態１に係る駆動制御部と同様であるため、同一符号を付して説明を省
略する。
【００５６】
本実施形態に係る駆動制御部には、駆動回路を介して図示しないコントローラから、階
調データと、補正データＤａ３と、クロックデータＣＫとが供給されるようになっている
。補正データＤａ３は、ヘッドモジュールの記憶装置に格納された各発光素子の発光特性
データに基づいて発光素子Ｅに供給するパルス電流のデューティ値を指定するデータであ
る。そして、クロックデータＣＫは、後述するパルス幅変調回路の動作時間を規定するデ
ータである。
【００５７】
図９に示すように、本実施形態に係る駆動制御部は、単位駆動回路Ｕと、駆動回路とを
有する。駆動回路は、単位駆動回路Ｕの駆動タイミングや駆動信号の電流値を制御すると
共に、コントローラ３０から供給される階調データに基づいて発光データＤｅを生成する
。ここで、発光データＤｅは、階調データに応じて各発光素子が実際に点灯する発光期間
の時間長（パルス幅Ｔ［ｊ］）を指定するデータである。
【００５８】
一方、単位駆動回路Ｕは、電流生成回路２４１Ｂと、パルス幅変調制御回路（ＰＷＭ制
御回路）２４８と、パルス駆動回路２４３Ｂとを有する。電流生成回路２４１Ｂは、予め
設定された電流値Ｉmaxの電流を生成する手段である。電流生成回路２４１Ｂとしては、
例えば電流値Ｉmaxを生成するＤＡＣなどが挙げられる。ＰＷＭ制御回路２４８は、発光
データＤｅ、補正データＤａ３及びクロックデータＣＫに基づいて、複数のパルスで構成
されるパルス群を生成する手段である。ＰＷＭ制御回路としては、例えば発光データＤｅ
によってパルス群の幅（パルス幅Ｔ［ｊ］）を規定し、補正データＤａ３及びクロックデ
ータＣＫによって指定されるデューティ値で各パルスの幅Ｗを規定する回路などが挙げら
れる。そして、パルス駆動回路２４３Ｂとしては、例えば図１０に示す回路などが挙げら
れる。
【００５９】
図１０は、パルス駆動回路２４３Ｂの模式図である。図１０に示すように、パルス駆動
回路２４３Ｂは、トランジスタＴＲ１Ｂを有しており、電流生成回路２４１Ｂから電流値
Ｉmaxの電流が供給されるようになっている。ＴＲ１Ｂの製造プロセスでは、レーザーア
ニールショットを利用してガラス基板の上にポリシリコン層を形成するＴＦＴ（Thin Fil
m Transistor）を用いて発光素子Ｅと同一ガラス基板上に形成する場合の他、半導体ＩＣ
を用いる場合等が考えられる。
【００６０】
スイッチングトランジスタであるＴＲ１Ｂはｎチャネル型である。ＴＲ１Ｂのドレイン
電極は電流値Ｉmaxの電流が供給される電流生成回路２４１Ｂに接続される一方、そのソ
ース電極は発光素子Ｅに接続されている。そして、ＴＲ１Ｂのゲート電極は、ＰＷＭ制御
回路２４８に接続されており、ＰＷＭ制御回路２４８によって、パルス群の幅とパルスの
デューティ値とを制御することによって、図１１に示すように、実質的に発光素子Ｅの発
光期間の前縁部及び後縁部よりもそれ以外の中間部の発光量が小さくなるように発光素子
Ｅを発光させることができるようになっている。
【００６１】
図１１は、図１０に示す電流I1と、電流Ioledと、発光素子Ｅの発光量Ｆ［ｊ］との関
係を示す図である。図１１に示すように、本実施形態の表示装置によれば、パルス郡の幅
（パルス幅Ｔ［ｊ］）を変化させることなく、パルス群の中間部に位置するパルスの幅Ｗ
を小さくすることによって、発光素子の発光量が前端から中央部に向けて漸減し、且つ中
央部から後端に向けて漸増するように発光素子を発光させることができるので、実施形態
１及び２と同様に、実質的に発光素子Ｅに供給されるパルス電流のパルス幅Ｔ［ｊ］を変
更することなく発光素子のバラツキを補正することができ、結果として高品質で印字する
ことができるという効果を奏する。また、パルス状の駆動信号の中央部よりも前縁部及び
後縁部の電流値を高くすることができるので、シャープな潜像を形成することができると
いう効果を奏する。
【００６２】
（実施形態４）
実施形態１では、発光素子Ｅに供給される電流の前縁部の電流値と後縁部の電流値とは
その電流の中央部に対して対称であったが、それらは対称でなくてもよい。また、発光素
子Ｅに供給される電流の前縁部の幅と後縁部の幅とはその電流の中央部に対して対称であ
ったが、それらは対称でなくてもよい。例えば、単位駆動回路Ｕに入力される補正パルス
幅データＤｔａのタイミングと電流値データＤｉを瞬間的に変化させて、図１２に示すよ
うな電流を発光素子Ｅに供給するようにしてもよい。このようにしても、実施形態１と同
様の効果が得られる。
【００６３】
（他の実施形態）
実施形態１〜４では、発光素子Ｅが１列のライン状に複数配置された表示装置について
説明したが、発光素子Ｅが複数のライン状に配置されてもよい。このようにしても、実施
形態１〜４と同様の効果が得られる。
【００６４】
＜応用例＞
＜画像形成装置＞
次に、図１３を参照して、本発明に係る電子機器のひとつの態様である画像形成装置に
ついて説明する。この画像形成装置は、ベルト中間転写体方式を利用したタンデム型のフ
ルカラー画像形成装置である。
【００６５】
この画像形成装置では、各々が同様の構成である４個の表示装置１０Ｋ，１０Ｃ，１０
Ｍ，１０Ｙが、各々の構成が同様である４個の感光体ドラム（像担持体）１１０Ｋ，１１
０Ｃ，１１０Ｍ，１１０Ｙの像形成面１１０Ａに対向する位置にそれぞれ配置されている
。表示装置１０Ｋ，１０Ｃ，１０Ｍ，１０Ｙは、以上の形態に係る表示装置１０である。
【００６６】
図１３に示すように、この画像形成装置には、駆動ローラ１２１と従動ローラ１２２と
が設けられており、これらのローラ１２１，１２２には無端の中間転写ベルト１２０が巻
回されて、矢印に示すようにローラ１２１，１２２の周囲を回転させられる。図示しない
が、中間転写ベルト１２０に張力を与えるテンションローラなどの張力付与手段を設けて
もよい。
【００６７】
この中間転写ベルト１２０の周囲には、外周面に感光層を有する４個の感光体ドラム１
１０Ｋ，１１０Ｃ，１１０Ｍ，１１０Ｙが互いに所定の間隔をおいて配置される。添字「
Ｋ」，「Ｃ」，「Ｍ」，「Ｙ」はそれぞれ黒、シアン、マゼンタ、イエローの顕像を形成
するために使用されることを意味している。他の部材についても同様である。感光体ドラ
ム１１０Ｋ，１１０Ｃ，１１０Ｍ，１１０Ｙは、中間転写ベルト１２０の駆動と同期して
回転駆動される。
【００６８】
各感光体ドラム１１０（Ｋ，Ｃ，Ｍ，Ｙ）の周囲には、コロナ帯電器１１１（Ｋ，Ｃ，
Ｍ，Ｙ）と、表示装置１０（Ｋ，Ｃ，Ｍ，Ｙ）と、現像器１１４（Ｋ，Ｃ，Ｍ，Ｙ）とが
配置されている。コロナ帯電器１１１（Ｋ，Ｃ，Ｍ，Ｙ）は、これに対応する感光体ドラ
ム１１０（Ｋ，Ｃ，Ｍ，Ｙ）の像形成面１１０Ａ（外周面）を一様に帯電させる。表示装
置１０（Ｋ，Ｃ，Ｍ，Ｙ）は、各感光体ドラムの帯電した像形成面１１０Ａに静電潜像を
書き込む。各表示装置１０（Ｋ，Ｃ，Ｍ，Ｙ）においては、感光体ドラム１１０（Ｋ，Ｃ
，Ｍ，Ｙ）の母線（主走査方向）に沿って複数の発光素子Ｅが配列する。静電潜像の書き
込みは、複数の発光素子Ｅによって感光体ドラム１１０（Ｋ，Ｃ，Ｍ，Ｙ）に光を照射す
ることにより行う。現像器１１４（Ｋ，Ｃ，Ｍ，Ｙ）は、静電潜像に現像剤としてのトナ
ーを付着させることにより感光体ドラム１１０（Ｋ，Ｃ，Ｍ，Ｙ）に顕像（すなわち可視
像）を形成する。
【００６９】
このような４色の単色顕像形成ステーションにより形成された黒、シアン、マゼンタ、
イエローの各顕像は、中間転写ベルト１２０上に順次に一次転写されることによって中間
転写ベルト１２０上で重ね合わされ、この結果としてフルカラーの顕像が形成される。中
間転写ベルト１２０の内側には、４つの一次転写コロトロン（転写器）１１２（Ｋ，Ｃ，
Ｍ，Ｙ）が配置されている。一次転写コロトロン１１２（Ｋ，Ｃ，Ｍ，Ｙ）は、感光体ド
ラム１１０（Ｋ，Ｃ，Ｍ，Ｙ）の近傍にそれぞれ配置されており、感光体ドラム１１０（
Ｋ，Ｃ，Ｍ，Ｙ）から顕像を静電的に吸引することにより、感光体ドラムと一次転写コロ
トロンの間を通過する中間転写ベルト１２０に顕像を転写する。
【００７０】
最終的に画像を形成する対象（記録材）としてのシート１０２は、ピックアップローラ
１０３によって、給紙カセット１０１から１枚ずつ給送されて、駆動ローラ１２１に接し
た中間転写ベルト１２０と二次転写ローラ１２６の間のニップに送られる。中間転写ベル
ト１２０上のフルカラーの顕像は、二次転写ローラ１２６によってシート１０２の片面に
一括して二次転写され、定着部である定着ローラ対１２７を通ることでシート１０２上に
定着される。この後、シート１０２は、排紙ローラ対１２８によって、装置上部に形成さ
れた排紙カセット上へ排出される。
【００７１】
次に、図１４を参照して、本発明に係る画像形成装置の他の形態について説明する。こ
の画像形成装置は、ベルト中間転写体方式を利用したロータリ現像式のフルカラー画像形
成装置である。図１４に示すように、感光体ドラム１１０の周囲には、コロナ帯電器１６
８と、ロータリ式の現像ユニット１６１と、以上の実施形態に係る表示装置１０と、中間
転写ベルト１６９とが設けられている。
【００７２】
コロナ帯電器１６８は、感光体ドラム１１０の外周面を一様に帯電させる。表示装置１
０は、感光体ドラム１１０の帯電させられた像形成面１１０Ａ（外周面）に静電潜像を書
き込む。この表示装置１０においては、感光体ドラム１１０の母線（主走査方向）に沿っ
て複数の発光素子Ｅが配列する。静電潜像の書き込みは、これらの発光素子Ｅから感光体
ドラム１１０に光を照射することにより行う。
【００７３】
現像ユニット１６１は、４つの現像器１６３Ｙ，１６３Ｃ，１６３Ｍ，１６３Ｋが９０
°の角間隔をおいて配置されたドラムであり、軸１６１ａを中心にして反時計回りに回転
可能である。現像器１６３Ｙ，１６３Ｃ，１６３Ｍ，１６３Ｋは、それぞれイエロー、シ
アン、マゼンタ、黒のトナーを感光体ドラム１１０に供給して、静電潜像に現像剤として
のトナーを付着させることにより感光体ドラム１１０に顕像（すなわち可視像）を形成す
る。
【００７４】
無端の中間転写ベルト１６９は、駆動ローラ１７０ａ、従動ローラ１７０ｂ、一次転写
ローラ１６６およびテンションローラに巻回されて、これらのローラの周囲を矢印に示す
向きに回転させられる。一次転写ローラ１６６は、感光体ドラム１１０から顕像を静電的
に吸引することにより、感光体ドラム１１０と一次転写ローラ１６６の間を通過する中間
転写ベルト１６９に顕像を転写する。
【００７５】
具体的には、感光体ドラム１１０の最初の１回転で、表示装置１０によりイエロー（Ｙ
）像のための静電潜像が書き込まれて現像器１６３Ｙにより同色の顕像が形成され、さら
に中間転写ベルト１６９に転写される。また、次の１回転で、表示装置１０によりシアン
（Ｃ）像のための静電潜像が書き込まれて現像器１６３Ｃにより同色の顕像が形成され、
イエローの顕像に重なり合うように中間転写ベルト１６９に転写される。そして、このよ
うにして感光体ドラム１１０が４回転する間に、イエロー、シアン、マゼンタ、黒の顕像
が中間転写ベルト１６９に順次に重ね合わせられ、この結果としてフルカラーの顕像が転
写ベルト１６９上に形成される。最終的に画像を形成する対象としてのシートの両面に画
像を形成する場合には、中間転写ベルト１６９に表面と裏面の同色の顕像を転写し、次に
中間転写ベルト１６９に表面と裏面の次の色の顕像を転写する形式で、フルカラーの顕像
を中間転写ベルト１６９上に形成する。
【００７６】
画像形成装置には、シートが通過させられるシート搬送路１７４が設けられている。シ
ートは、給紙カセット１７８から、ピックアップローラ１７９によって１枚ずつ取り出さ
れ、搬送ローラによってシート搬送路１７４を進行させられ、駆動ローラ１７０ａに接し
た中間転写ベルト１６９と二次転写ローラ１７１の間のニップを通過する。二次転写ロー
ラ１７１は、中間転写ベルト１６９からフルカラーの顕像を一括して静電的に吸引するこ
とにより、シートの片面に顕像を転写する。二次転写ローラ１７１は、図示しないクラッ
チにより中間転写ベルト１６９に接近および離間させられるようになっている。そして、
シートにフルカラーの顕像を転写する時に二次転写ローラ１７１は中間転写ベルト１６９
に当接させられ、中間転写ベルト１６９に顕像を重ねている間は二次転写ローラ１７１か
ら離される。
【００７７】
以上のようにして画像が転写されたシートは定着器１７２に搬送され、定着器１７２の
加熱ローラ１７２ａと加圧ローラ１７２ｂの間を通過させられることにより、シート上の
顕像が定着する。定着処理後のシートは、排紙ローラ対１７６に引き込まれて矢印Ｆの向
きに進行する。両面印刷の場合には、シートの大部分が排紙ローラ対１７６を通過した後
、排紙ローラ対１７６が逆方向に回転させられ、矢印Ｇで示すように両面印刷用搬送路１
７５に導入される。そして、二次転写ローラ１７１により顕像がシートの他面に転写され
、再び定着器１７２で定着処理が行われた後、排紙ローラ対１７６でシートが排出される
。
【００７８】
図１３および図１４に例示した画像形成装置は、ＯＬＥＤ素子を発光素子Ｅとして採用
した光源（露光手段）を利用しているので、レーザー走査光学系を用いた場合よりも装置
が小型化される。なお、以上に例示した以外の電子写真方式の画像形成装置にも本発明の
表示装置を採用することができる。例えば、中間転写ベルトを使用せずに感光体ドラムか
らシートに対して直接的に顕像を転写するタイプの画像形成装置や、モノクロの画像を形
成する画像形成装置にも本発明に係る表示装置を応用することが可能である。
【００７９】
＜その他＞
以上においては露光ヘッドとして利用される表示装置を例示したが、本発明の表示装置
の用途は感光体の露光に限定されない。例えば、本発明の表示装置は、原稿などの読取対
象に光を照射するライン型の光ヘッド（照明装置）としてスキャナなどの画像読取装置に
採用される。この種の画像読取装置としては、スキャナ、複写機やファクシミリの読取部
分、バーコードリーダ、あるいはＱＲコード（登録商標）のような二次元画像コードを読
む二次元画像コードリーダがある。また、複数の発光素子を面状に配列した表示装置は、
液晶パネルの背面側に配置されるバックライトユニットとしても採用される。
【００８０】
また、画像を表示する表示装置としても本発明の表示装置が採用される。この表示装置
においては、行方向および列方向にわたって複数の発光素子がマトリクス状に配列される
。そして、走査線駆動回路が単位期間（水平走査期間）ごとに各行を選択し、この選択行
の各発光素子Ｅに駆動制御部２４から駆動信号Ｘｊが供給される。
【００８１】
本発明の表示装置が画像の表示のために利用される電子機器としては、例えば、可搬型
のパーソナルコンピュータ、携帯電話機、携帯情報端末（ＰＤＡ：Personal Digital Ass
istants）、デジタルスチルカメラ、テレビ、ビデオカメラ、カーナビゲーション装置、
ページャ、電子手帳、電子ペーパー、電卓、ワードプロセッサ、ワークステーション、テ
レビ電話、ＰＯＳ端末、プリンタ、スキャナ、複写機、ビデオプレーヤ、タッチパネルを
備えた機器等などが挙げられる。
【図面の簡単な説明】
【００８２】
【図１】実施形態１に係る表示装置の概略図。
【図２】図１における駆動制御部の一部を示すブロック図。
【図３】図１における各信号のタイミングチャート。
【図４】図１に示す表示装置における単位駆動回路を示す回路図。
【図５】図１に示す単位駆動回路内を流れる各電流を示すタイミングチャート。
【図６】実施形態２に係る駆動制御部の一部を示すブロック図。
【図７】図６に示す単位駆動回路を示す回路図。
【図８】単位駆動回路に入力される各信号及び電流Ioledのタイミングチャート。
【図９】実施形態３に係る駆動制御部の一部を示すブロック図。
【図１０】図９に示す単位駆動回路を示す回路図。
【図１１】単位駆動回路内を流れる電流及び発光素子の発光量の関係を示す図。
【図１２】実施形態４における各信号のタイミングチャート。
【図１３】本発明に係る電子機器の具体例（画像形成装置）を示す斜視図。
【図１４】本発明に係る電子機器の具体例（画像形成装置）を示す斜視図。
【図１５】従来の補正方法による発光パルス幅を変化させた際の関係を示す図。
【符号の説明】
【００８３】
１０  表示装置、  ２０  ヘッドモジュール、  Ｅ  発光素子、  ２４  駆動制御部、
Ｕ  単位駆動回路、  ２４１，２４２  電流生成回路、  ２４３  パルス駆動回路、  
２６  記憶装置、  ３０  コントローラ、  ３１  制御部、  ３２  バッファメモリ、
Ｘj  駆動信号、  ＣＫ  クロックデータ、  Ｄａ  補正データ、  Ｄｅ  発光データ
、  Ｄｉａ  補正電流値データ、  Ｄｐ  リセット信号、  Ｄｔ  パルス幅データ、  
Ｄｔａ  補正パルス幅データ、  Ｄｔｔ  三角波信号、  Ｄｖａ  補正電圧値データ
【図１】
2007253501.tif 000003
【図２】
2007253501.tif 000004
【図３】
2007253501.tif 000005
【図４】
2007253501.tif 000006
【図５】
2007253501.tif 000007
【図６】
2007253501.tif 000008
【図７】
2007253501.tif 000009
【図８】
2007253501.tif 000010
【図９】
2007253501.tif 000011
【図１０】
2007253501.tif 000012
【図１１】
2007253501.tif 000013
【図１２】
2007253501.tif 000014
【図１３】
2007253501.tif 000015
【図１４】
2007253501.tif 000016
【図１５】
2007253501.tif 000017